(57)【要約】本出願の実施形態によって、メッセージプッシングが、デバイス内で現在行なわれている操作に影響することを防ぐサービスデータプッシング方法、装置、およびシステムが提供される。本方法は、第１のデバイスがサービスプッシュ情報を提示したときに、第２のデバイスによって、第１のデバイスとの通信接続を、指定動作のトリガリングにより設定することと、第１のデバイスが送信したサービスプッシュ情報の関連情報を、第２のデバイスによって受信することと、第２のデバイスによって、関連情報によりサービスプッシュ情報に対応するプッシングページを決定し、プッシングページを提示して、対応するサービス操作を行なうことと、を含む。サービスプッシュ情報を、第１のデバイスを用いることによってプッシュし、第２のデバイスを用いることによって見ているため、第１のデバイス内で現在再生されているビデオ情報は影響を受けない。
2018512105.tif 000002
【特許請求の範囲】
【請求項１】
サービスデータプッシング方法であって、第１のデバイスがサービスプッシュ情報を提示したときに、第２のデバイスによって、前記第１のデバイスとの通信接続を指定動作のトリガリングにより設定することと、前記第１のデバイスが送信した前記サービスプッシュ情報の関連情報を、前記第２のデバイスによって受信することと、前記第２のデバイスによって、前記関連情報により前記サービスプッシュ情報に対応するプッシングページを決定し、前記第２のデバイスによって前記プッシングページを提示することと、を含む前記方法。
【請求項２】
第２のデバイスによって、前記第１のデバイスとの前記通信接続を、前記指定動作の前記トリガリングにより設定することは、前記第２のデバイス上の動作を検出することと、前記第２のデバイス上の前記動作が前記指定動作であることが検出されることに応じて、前記第２のデバイスと前記第１のデバイスとの間の送信チャネルを設定するようにトリガすることと、を含む請求項１に記載の方法。
【請求項３】
前記第２のデバイスはモバイルデバイスであり、前記指定動作は前記モバイルデバイスを振ることである請求項２に記載の方法。
【請求項４】
前記第２のデバイスと前記第１のデバイスとの間の前記送信チャネルを設定するようにトリガすることは、前記第２のデバイスがアクセスしたネットワーク内のアクセス装置を、前記第２のデバイスによって検出することと、前記アクセス装置が前記第１のデバイスを含むことを検出したら、前記第２のデバイスによって、前記第１のデバイスとの前記送信チャネルを設定することと、を含む請求項２に記載の方法。
【請求項５】
前記第１のデバイスが送信した前記サービスプッシュ情報の前記関連情報を、前記第２のデバイスによって受信することは、前記第１のデバイスが前記サービスプッシュ情報を提示する指定時間内に、前記第２のデバイスによって、前記第１のデバイスが送信したサービスデータを受信することと、前記第２のデバイスによって前記サービスデータを構文解析して、構文解析された前記サービスプッシュ情報の前記関連情報を得ることと、を含む請求項１に記載の方法。
【請求項６】
前記第２のデバイスによって、前記関連情報により前記サービスプッシュ情報に対応する前記プッシングページを決定し、前記第２のデバイスによって前記プッシングページを提示することは、前記第２のデバイスによって前記関連情報をビジネスサーバに送信することと、前記第２のデバイスによって、前記ビジネスサーバから返ったプッシングページアドレス情報を受信することと、前記第２のデバイスによって、前記プッシングページアドレス情報を構文解析することによって前記プッシングページを提示することと、を含む請求項１に記載の方法。
【請求項７】
予め設定した時間の後に前記第２のデバイスと前記第１のデバイスとの間でデータが送信されないときに、前記第２のデバイスによって、前記第１のデバイスとの前記通信接続を、閉じること、をさらに含む請求項１〜６のいずれかに記載の方法。
【請求項８】
前記プッシングページにより返った指示情報を前記第２のデバイスによって得ることと、前記指示情報により対応するサービス操作を、前記第２のデバイスによって行なうことと、をさらに含む請求項１に記載の方法。
【請求項９】
前記サービス操作は、前記プッシングページ上の指定サービスオブジェクトをリクエストする操作を含む請求項８に記載の方法。
【請求項１０】
サービスデータプッシング方法であって、第１のデバイスによって、サービスプッシュ情報を得ることと、前記第１のデバイスによって、前記サービスプッシュ情報を、現在再生されているビデオ画像に付加して提示することと、指定動作のトリガリングにより、前記第２のデバイスが前記第１のデバイスとの通信接続の設定に成功した後に、前記第１のデバイスによって、前記サービスプッシュ情報の関連情報を第２のデバイスに送信して、前記第２のデバイスに、前記サービスプッシュ情報により対応するプッシングページを、提示させることと、を含む前記方法。
【請求項１１】
前記指定動作の前記トリガリングにより、前記第２のデバイスが前記第１のデバイスとの前記通信接続の設定に成功した後に、前記第１のデバイスによって、前記サービスプッシュ情報の前記関連情報を前記第２のデバイスに送信することは、
前記指定動作により、前記第２のデバイスが前記第２のデバイスと前記第１のデバイスとの間の前記送信チャネルの設定に成功した後に、前記サービスプッシュ情報が提示される指定時間内に、前記第１のデバイスによって、前記サービスプッシュ情報の前記関連情報を含むサービスデータを前記第２のデバイスに送信すること、を含む請求項１０に記載の方法。
【請求項１２】
前記第１のデバイスによって前記サービスプッシュ情報の前記関連情報を前記第２のデバイスに送信した後に、前記方法はさらに、前記第１のデバイスによって前記サービスプッシュ情報の前記提示をキャンセルすることを含む請求項１０に記載の方法。
【請求項１３】
サービスデータプッシング装置であって、第１のデバイスとの通信接続を指定動作のトリガリングにより設定することを、前記第１のデバイスがサービスプッシュ情報を提示したときに行なうように構成された形成モジュールと、前記第１のデバイスが送信した前記サービスプッシュ情報の関連情報を受信するように構成された送信モジュールと、前記関連情報により前記サービスプッシュ情報に対応するプッシングページを決定し、前記プッシングページを提示するように構成された提示モジュールと、を含む前記装置。
【請求項１４】
前記形成モジュールは、前記装置上の動作を検出するように構成された検出サブモジュールと、前記装置上の前記動作が前記指定動作であることが検出されることに応じて、前記装置と前記第１のデバイスとの間の送信チャネルを設定することをトリガするように構成された形成トリガリングサブモジュールと、を含む請求項１３に記載の装置。
【請求項１５】
前記第２のデバイスはモバイルデバイスであり、前記指定動作は前記モバイルデバイスを振ることである請求項１４に記載の装置。
【請求項１６】
前記形成トリガリングサブモジュールは、前記装置がアクセスしたネットワーク内のアクセス装置を検出し、前記アクセス装置が前記第１のデバイスを含むことを検出したら、前記第１のデバイスとの前記送信チャネルを設定するように構成されている請求項１４に記載の装置。
【請求項１７】
前記送信モジュールは、前記第１のデバイスが前記サービスプッシュ情報を提示する指定時間内に、前記第１のデバイスが送信したサービスデータを受信するように構成された受信サブモジュールと、前記サービスデータを構文解析して、構文解析された前記サービスプッシュ情報の前記関連情報を得るように構成された構文解析サブモジュールと、を含む請求項１３に記載の装置。
【請求項１８】
前記提示モジュールは、前記関連情報をビジネスサーバに送信し、前記ビジネスサーバによって返されたプッシングページアドレス情報を受信し、前記プッシングページアドレス情報を構文解析することによって前記プッシングページを提示するように構成されている請求項１３に記載の装置。
【請求項１９】
予め設定した時間の後に前記装置と前記第１のデバイスとの間でデータが送信されないときに、前記第１のデバイスとの前記通信接続を閉じるように構成された終了モジュールをさらに含む請求項１３〜１８のいずれかに記載の装置。
【請求項２０】
前記プッシングページにより返った指示情報を得て、前記指示情報により対応するサービス操作を行なうように構成されたサービス実行モジュールをさらに含む請求項１２に記載の装置。
【請求項２１】
前記サービス操作は、前記プッシングページ上の指定サービスオブジェクトをリクエストする操作を含む請求項２０に記載の装置。
【請求項２２】
サービスデータプッシング装置であって、サービスプッシュ情報を得るように構成された取得モジュールと、前記サービスプッシュ情報を、現在再生されているビデオ画像に付加して提示するように構成された付加および提示モジュールと、指定動作のトリガリングにより、前記第２のデバイスが前記装置との通信接続の設定に成功した後に、前記サービスプッシュ情報の関連情報を第２のデバイスに送信して、前記サービスプッシュ情報に対応するプッシングページにより対応するサービス操作を、前記第２のデバイスに行なわせるように構成された送信およびプッシングモジュールと、を含む前記装置。
【請求項２３】
前記送信およびプッシングモジュールは、前記指定動作により、前記第２のデバイスが前記第２のデバイスと前記装置との間の前記送信チャネルの設定に成功した後に、前記サービスプッシュ情報が提示される指定時間内に、前記サービスプッシュ情報の前記関連情報を含むサービスデータを前記第２のデバイスに送信するように構成されている請求項２２に記載の装置。
【請求項２４】
前記付加および提示モジュールはさらに、前記サービスプッシュ情報の前記関連情報が前記第２のデバイスに送信された後に、前記サービスプッシュ情報の前記提示をキャンセルするように構成されている請求項２３に記載の装置。
【請求項２５】
サービスデータプッシングシステムであって、第１のデバイスと第２のデバイスとを含み、前記第２のデバイスは、請求項１３〜２１のいずれかに記載のサービスデータプッシング装置を含み、前記第１のデバイスは、請求項２２〜２４のいずれかに記載のサービスデータプッシング装置を含む前記サービスデータプッシングシステム。
【発明の詳細な説明】
【技術分野】
【０００１】
本出願は、移動端末技術の分野に関し、詳細には、サービスデータプッシング方法、サービスデータプッシング装置、およびサービスデータプッシングシステムに関する。
【背景技術】
【０００２】
ユーザが、コンピュータ端末を用いて、ビデオを鑑賞し、ゲームで遊び、または他の操作を行なうとき、しばしば何らかの情報がユーザにプッシュされることがある。この情報にユーザが関心がある場合、ユーザはクリッキングなどの操作を通してトリガして情報の詳細を開くことによって、対応する操作（たとえば、申込書をダウンロードする、製品を購入するなど）を情報に対して行なう場合がある。
【０００３】
しかし、関心がある情報を前述のプッシングの方法で見ると、ユーザは現在行なっている操作を停止しなければならない。たとえば、ゲームを停止するかまたはビデオの視聴を停止しなければならない。その結果、現在の操作の性能に影響が出る。
【発明の概要】
【０００４】
本出願の実施形態によって解決すべき技術的な問題は、デバイス内で行なわれる操作にメッセージプッシングが影響することを防ぐサービスデータプッシング方法を提供することである。
【０００５】
対応して、本出願の実施形態はさらに、前述の方法の実施態様および適用を確実にするサービスデータプッシング装置およびサービスデータプッシングシステムを提供する。
【０００６】
前述の問題を解決するために、本出願では、サービスデータプッシング方法であって、第１のデバイスがサービスプッシュ情報を提示したときに、第１のデバイスとの通信接続を、第２のデバイスによって、指定動作のトリガリングにより設定することと、第１のデバイスから送信されたサービスプッシュ情報の関連情報を、第２のデバイスによって受信することと、サービスプッシュ情報に対応するプッシングページを、第２のデバイスによって、関連情報により決定し、第２のデバイスによってプッシングページを提示することと、を含むサービスデータプッシング方法が開示される。
【０００７】
任意的に、第２のデバイスによって、第１のデバイスとの通信接続を、指定動作のトリガリングにより設定することは、第２のデバイス上の動作を検出することと、第２のデバイス上の動作が指定動作であることが検出されることに応じて、第２のデバイスと第１のデバイスとの間の送信チャネルの設定をトリガすることと、を含む。
【０００８】
任意的に、第２のデバイスはモバイルデバイスであり、指定動作はモバイルデバイスを振ることである。
【０００９】
任意的に、第２のデバイスと第１のデバイスとの間の送信チャネルの設定をトリガすることは、第２のデバイスがアクセスしたネットワーク内のアクセス装置を、第２のデバイスによって検出することと、アクセス装置が第１のデバイスを含むことを検出したら、第２のデバイスによって、第１のデバイスとの送信チャネルを設定することと、を含む。
【００１０】
任意的に、第１のデバイスから送信されたサービスプッシュ情報の関連情報を、第２のデバイスによって受信することは、第１のデバイスがサービスプッシュ情報を提示する指定時間内に、第１のデバイスから送信されたサービスデータを、第２のデバイスによって受信することと、第２のデバイスによってサービスデータを構文解析して、構文解析されたサービスプッシュ情報の関連情報を得ることと、を含む。
【００１１】
任意的に、第２のデバイスによって、サービスプッシュ情報に対応するプッシングページを関連情報により決定し、第２のデバイスによってプッシングページを提示することは、第２のデバイスによって、関連情報をビジネスサーバに送信することと、ビジネスサーバから返ったプッシングページアドレス情報を、第２のデバイスによって受信することと、第２のデバイスによって、プッシングページアドレス情報を構文解析することによってプッシングページを提示して、対応するサービス操作を行なうことと、を含む。
【００１２】
任意的に、本方法はさらに、予め設定した時間の後に第２のデバイスと第１のデバイスとの間でデータが送信されないときに、第２のデバイスによって、第１のデバイスとの通信接続を、閉じることを含む。
【００１３】
任意的に、本方法はさらに、プッシングページにより返った指示情報を第２のデバイスによって得ることと、指示情報により対応するサービス操作を第２のデバイスによって行なうことと、を含む。
【００１４】
任意的に、サービス操作には、プッシングページ上の指定サービスオブジェクトをリクエストする操作が含まれる。
【００１５】
本出願の実施形態はさらに、サービスデータプッシング方法であって、第１のデバイスによって、サービスプッシュ情報を得ることと、第１のデバイスによって、サービスプッシュ情報を、現在再生されているビデオ画像に付加して提示することと、指定動作のトリガリングにより、第２のデバイスが第１のデバイスとの通信接続の設定を終了した後に、第１のデバイスによって、サービスプッシュ情報の関連情報を第２のデバイスに送信して、サービスプッシュ情報により対応するプッシングページを、第２のデバイスに提示させることと、を含むサービスデータプッシング方法を開示する。
【００１６】
任意的に、指定動作のトリガリングにより、第２のデバイスが第１のデバイスとの通信接続の設定を終了した後に、第１のデバイスによって、サービスプッシュ情報の関連情報を第２のデバイスに送信することは、指定動作により、第２のデバイスが第２のデバイスと第１のデバイスとの間の送信チャネルの設定を終了した後に、サービスプッシュ情報が提示される指定時間内に、第１のデバイスによって、サービスプッシュ情報の関連情報を含むサービスデータを第２のデバイスに送信することを含む。
【００１７】
任意的に、第１のデバイスによってサービスプッシュ情報の関連情報を第２のデバイスに送信した後に、本方法はさらに、第１のデバイスによってサービスプッシュ情報の提示をキャンセルすることを含む。
【００１８】
本出願の実施形態はさらに、サービスデータプッシング装置であって、第１のデバイスとの通信接続を指定動作のトリガリングにより設定することを、第１のデバイスがサービスプッシュ情報を提示したときに行なうように構成された形成モジュールと、第１のデバイスから送信されたサービスプッシュ情報の関連情報を受信するように構成された送信モジュールと、サービスプッシュ情報に対応するプッシングページを関連情報により決定し、プッシングページを提示するように構成された提示モジュールと、を含むサービスデータプッシング装置を開示する。
【００１９】
任意的に、形成モジュールは、その上での動作を検出するように構成された検出サブモジュールと、その上での動作が指定動作であることが検出されることに応じて第１のデバイスとの送信チャネルの設定をトリガするように構成された形成トリガリングサブモジュールと、を含む。
【００２０】
任意的に、第２のデバイスはモバイルデバイスであり、指定動作はモバイルデバイスを振ることである。
【００２１】
任意的に、形成トリガリングサブモジュールは、それがアクセスしたネットワーク内のアクセス装置を検出し、アクセス装置が第１のデバイスを含むことを検出したら第１のデバイスとの送信チャネルを設定するように構成されている。
【００２２】
任意的に、送信モジュールは、第１のデバイスがサービスプッシュ情報を提示する指定時間内に、第１のデバイスが送信したサービスデータを受信するように構成された受信サブモジュールと、サービスデータを構文解析して、構文解析されたサービスプッシュ情報の関連情報を得るように構成された構文解析サブモジュールと、を含む。
【００２３】
任意的に、提示モジュールは、関連情報をビジネスサーバに送信し、ビジネスサーバから返ったプッシングページアドレス情報を受信し、プッシングページアドレス情報を構文解析することによってプッシングページを提示するように構成されている。
【００２４】
任意的に、第２のデバイスは、予め設定した時間の後に装置と第１のデバイスとの間でデータが送信されないときに、第１のデバイスとの通信接続を閉じるように構成された終了モジュールをさらに含む。
【００２５】
任意的に、サービス実行モジュールが、プッシングページにより返った指示情報を得て、指示情報により対応するサービス操作を行なうように構成されている。
【００２６】
任意的に、サービス操作には、プッシングページ上の指定サービスオブジェクトをリクエストする操作が含まれる。
【００２７】
本出願の実施形態はさらに、サービスデータプッシング装置であって、サービスプッシュ情報を得るように構成された取得モジュールと、サービスプッシュ情報を、現在再生されているビデオ画像に付加して提示するように構成された付加および提示モジュールと、指定動作のトリガリングにより、第２のデバイスが装置との通信接続の設定を終了した後に、サービスプッシュ情報の関連情報を第２のデバイスに送信して、サービスプッシュ情報に対応するプッシングページにより対応するサービス操作を、第２のデバイスに行なわせるように構成された送信およびプッシングモジュールと、を含むサービスデータプッシング装置を開示する。
【００２８】
任意的に、送信およびプッシングモジュールは、指定動作により、第２のデバイスが第２のデバイスと装置との間の送信チャネルの設定を終了した後に、サービスプッシュ情報が提示される指定時間内に、サービスプッシュ情報の関連情報を含むサービスデータを第２のデバイスに送信するように構成されている。
【００２９】
任意的に、付加および提示モジュールはさらに、サービスプッシュ情報の関連情報が第２のデバイスに送信された後に、サービスプッシュ情報の提示をキャンセルするように構成されている。
【００３０】
本出願の実施形態はさらに、サービスデータプッシングシステムであって、第１のデバイスと第２のデバイスとを含み、第２のデバイスは、前述したように前者のサービスデータプッシング装置を含み、第１のデバイスは、前述したように後者のサービスデータプッシング装置を含む、サービスデータプッシングシステムを開示する。
【００３１】
既存の技術と比較して、本出願の実施形態には以下の優位点が含まれる。
【００３２】
実施形態によって、複数のデバイスを用いてサービスデータをプッシュすることが実現する。第１のデバイスを用いてサービスプッシュ情報を提示し、第２のデバイスによって、指定動作のトリガリングにより第１のデバイスとの通信接続を設定し、その結果、第１のデバイスと第２のデバイスとの間の通信が実現する。第２のデバイスは次に、第１のデバイスから送信されたサービスプッシュ情報の関連情報を受信し、サービスプッシュ情報に対応するプッシングページを、関連情報により決定し、プッシングページを提示して、対応するサービス操作を行なうことによって、サービスプッシュ情報を第１のデバイスを通してプッシュして、第２のデバイスを用いてサービスプッシュ情報を見る。その結果、第１のデバイス内で現在再生されているビデオ情報は影響を受けない。
【図面の簡単な説明】
【００３３】
【図１】本出願の実施形態によるサービスデータプッシング方法のフローチャートである。
【図２】本出願の実施形態による別のサービスデータプッシング方法のフローチャートである。
【図３】本出願の実施形態による第１のデバイス側での別のサービスデータプッシング方法のフローチャートである。
【図４】本出願の実施形態による第２のデバイス側での別のサービスデータプッシング方法のフローチャートである。
【図５】本出願の実施形態によるサービスデータのやり取りをプッシュする概略図である。
【図６】本出願の実施形態によるサービスデータプッシング装置の構造的ブロック図である。
【図７】本出願の実施形態による別のサービスデータプッシング装置の構造的ブロック図である。
【図８】本出願の実施形態による別のサービスデータプッシング装置の構造的ブロック図である。
【図９】本出願の実施形態によるサービスデータプッシングシステムの構造的ブロック図である。
【発明を実施するための形態】
【００３４】
本出願の前述の目的、特徴、および優位点の理解をより明瞭および容易に理解することを促すために、本出願を以下で、添付図面および詳細な実施態様を参照してより詳細に説明される。
【００３５】
本出願の実施形態の核となる考え方の１つは、デバイス内で行なわれている操作にメッセージプッシングが影響することを防ぐサービスデータプッシング方法を提供することである。実施形態によって、複数のデバイスを用いてサービスデータをプッシュすることが実現する。第１のデバイスを用いてサービスプッシュ情報を提示し、第２のデバイスによって、指定動作のトリガリングにより第１のデバイスとの通信接続を設定し、その結果、第１のデバイスと第２のデバイスとの間の通信が実現する。第２のデバイスは次に、第１のデバイスから送信されたサービスプッシュ情報の関連情報を受信し、関連情報によりサービスプッシュ情報に対応するプッシングページを決定し、プッシングページを提示して、対応するサービス操作を行なう。その結果、サービスプッシュ情報は第１のデバイスを通してプッシュされ、サービスプッシュ情報は第２のデバイスを用いて見られる。その結果、第１のデバイス内で現在再生されているビデオ情報は影響を受けない。
【００３６】
第１の実施形態
図１に示すのは、本出願の実施形態によるサービスデータプッシング方法のフローチャートであり、具体的には以下の手順を含んでいてもよい。
【００３７】
ステップ１０２：第１のデバイスがサービスプッシュ情報を提示したときに、第２のデバイスが、第１のデバイスとの通信接続を指定動作のトリガリングにより設定する。
【００３８】
本出願の実施形態では、第１のデバイスとおよび第２のデバイスの両方とも、アプリケーションを実行することが可能なインテリジェントデバイスであってもよい。たとえば、第１のデバイスおよび第２のデバイスには、テレビ、コンピュータ、ディスプレイ、モバイルデバイスなどが含まれていても良い。
【００３９】
一例としては、第１のデバイスはテレビであり、第２のデバイスはモバイルデバイスである。ユーザがテレビ上でＴＶ放送番組またはネットワークビデオを見るときに、テレビは、サービスプッシュ情報（たとえば、ゲーム、アプリケーションソフトウェア、および商品情報など）を、現在再生されているビデオ画像内に提示してもよい。
【００４０】
この場合、ユーザはモバイルデバイス上で指定動作を行なって、対応するトリガ命令を生成し、モバイルデバイスにテレビとの通信接続を設定するように命令を出してもよい。たとえば、指定アプリケーション（ＡＰＰ）が移動端末内で開始されて、そしてアプリケーションがモバイルデバイス上の指定動作を検出する。たとえば、指定動作は「振ること」、すなわち、モバイルデバイスを振ることであり、水平方向に振ることおよび垂直方向に振ることが含まれる。通信接続を次に、モバイルデバイスとテレビとの間で設定する。たとえば、通信接続がブルートゥース、ローカルエリアネットワークなどを介して設定されるため、モバイルデバイスおよびテレビは互いに通信することができる。本実施形態では、モバイルデバイスは、携帯型インテリジェント端末（たとえば、スマートフォン、およびタブレットコンピュータなど）を指す。また、プッシュされたサービスプッシュ情報を、テレビ上で現在再生されているビデオに関係づけてもよい。たとえば現在再生されているビデオコンテンツまたは時間情報により適合および提示されたサービスプッシュ情報である。
【００４１】
ステップ１０４：第２のデバイスが、第１のデバイスから送信されたサービスプッシュ情報の関連情報を受信する。
【００４２】
第１のデバイスとして、テレビは、サービスプッシュ情報を提示するときに、対応するサービスデータを接続されたネットワークに送ってもよい。サービスデータには、サービスプッシュ情報の関連情報、たとえばサービスプッシュ情報の識別名が含まれる。テレビは、第２のデバイスとして機能するモバイルデバイスとの通信接続を設定するため、モバイルデバイスは、テレビによって送信されるサービスプッシュ情報の関連情報を受信してもよい。
【００４３】
ステップ１０６：第２のデバイスが、関連情報によりサービスプッシュ情報に対応するプッシングページを決定し、プッシングページを提示する。
【００４４】
第２のデバイスは、関連情報に基づいてサービスプッシュ情報のプッシングページを得て、そして、第２のデバイス内でプッシングページを提示するため、対応するサービス操作を、ユーザが選択したページ内のサービスオブジェクトに基づいて行なうことができる。この実施形態では、サービス操作には、プッシングページ上の指定サービスオブジェクトをリクエストすること（たとえば、アプリケーションをダウンロードすること、別のページにリダイレクトすること、商品を購入することなど）の操作が含まれる。
【００４５】
たとえば、モバイルデバイス上の指定動作がＡＰＰを通して決定されて、モバイルデバイスとテレビとの間の通信接続が設定された後で、ＡＰＰは、関連情報によりサービスプッシュ情報に対応するプッシングページを得てもよい。ＡＰＰは次に、プッシングページを提示して、後続のサービス操作を行なう。その結果、サービスプッシュ情報がテレビにプッシュされて、対応するサービス操作がモバイルデバイス上で見られて実行されることが、テレビ上でのコンテンツの通常の再生に影響することなく行なわれる。
【００４６】
簡単に言えば、サービスデータを、複数のデバイスを用いてプッシュする。第１のデバイスを用いてサービスプッシュ情報を提示し、第２のデバイスが指定動作のトリガリングにより第１のデバイスとの通信接続を設定し、その結果、第１のデバイスと第２のデバイスとの間の通信が実現する。第２のデバイスは次に、第１のデバイスが送信したサービスプッシュ情報の関連情報を受信し、関連情報によりサービスプッシュ情報に対応するプッシングページを決定し、プッシングページを提示して、対応するサービス操作を行なう。こうして、サービスプッシュ情報が第１のデバイスを通してプッシュされて、サービスプッシュ情報が第２のデバイスを用いて見る結果、第１のデバイス内で現在再生されているビデオ情報が影響を受けることが防がれる。
【００４７】
第２の実施形態
前述の実施形態に基づいて、本実施形態ではさらにサービスデータプッシング方法を提供する。
【００４８】
図２に示すのは、本出願の実施形態による別のサービスデータプッシング方法のフローチャートであり、具体的には以下の手順を含んでいてもよい。
【００４９】
ステップ２０２：第１のデバイスがサービスプッシュ情報を得る。
【００５０】
ステップ２０４：第１のデバイスが、現在再生されているビデオ画像にサービスプッシュ情報を加えて提示する。
【００５１】
ビデオ（たとえば、ＴＶ放送番組またはネットワークビデオ）を再生したときに、第１のデバイスはサービスプッシュ情報を得てもよい。サービスプッシュ情報を、予め第１のデバイス内でキャッシュしてもよいし、または第１のデバイスがネットワークから得てもよい。第１のデバイスは次に、現在再生されているビデオ画像にサービスプッシュ情報を加えることを、再生されたビデオのデータストリームを構文解析するときに行なう。ＴＶ放送番組またはネットワークビデオを再生するときに、対応するサービスプッシュ情報をプッシュして提示する。
【００５２】
ステップ２０６：指定動作のトリガリングにより、第２のデバイスが第１のデバイスとの通信接続の設定を終了した後に、第１のデバイスが、サービスプッシュ情報の関連情報を第２のデバイスに送信して、第２のデバイスに、サービスプッシュ情報により対応するプッシングページを、提示させる。
【００５３】
第１のデバイスがサービスプッシュ情報をプッシュするときに、移動端末が指定動作のトリガリングを通して第１のデバイスとの通信接続を設定してもよい。移動端末が第１のデバイスとの通信接続の設定に成功した後で、第１のデバイスはネットワーク上にサービスプッシュ情報を送信して、サービスプッシュ情報の関連情報（たとえばサービスプッシュ情報の識別名）を第２のデバイスに通信接続を通して送信する。
【００５４】
第２のデバイスはその後に、関連情報に基づいてサービスプッシュ情報に対応するプッシングページを提示して、ユーザからのフィードバックにより対応するサービス操作を行なってもよい。
【００５５】
本実施形態では、多端末サービスデータプッシングが、第２のデバイスおよび第１のデバイスを用いることによって実現される。第１のデバイスが、現在再生されているビデオ画像にサービスプッシュ情報を加えて提示した後で、第２のデバイスが、指定動作のトリガリングにより第１のデバイスとの通信接続の設定に成功する。第１のデバイスは、サービスプッシュ情報の関連情報を第２のデバイスに通信接続を通して送信して、サービスプッシュ情報に対応するプッシングページを第２のデバイス上に提示し、ユーザのフィードバックにより対応するサービス操作を行なう。このようにして、第１のデバイス上でプッシュされたサービスプッシュ情報が第２のデバイスを用いて見られ、第１のデバイス上で現在再生されているビデオが影響を受けることが回避される。
【００５６】
第３の実施形態
前述の実施形態に基づいて、本実施形態では、サービスデータプッシング方法を、第１のデバイスと移動端末との間のやり取りに基づいて詳細に説明する。
【００５７】
図３に示すのは、本出願の実施形態による第１のデバイス側での別のサービスデータプッシング方法のフローチャートであり、具体的には以下の手順を含んでいてもよい。
【００５８】
ステップ３０２：第１のデバイスがサービスプッシュ情報を得る。
【００５９】
ステップ３０４：第１のデバイスが、現在再生されているビデオ画像にサービスプッシュ情報を加えて提示する。
【００６０】
ステップ３０６：サービスプッシュ情報の関連情報を含むサービスデータを、指定時間内に第２のデバイスに送信する。
【００６１】
本出願の任意的な実施形態において、指定動作のトリガリングにより、第２のデバイスが第１のデバイスとの通信接続の設定に成功した後に、第１のデバイスがサービスプッシュ情報の関連情報を第２のデバイスに送信する。送信することには、指定動作により、第２のデバイスが第２のデバイスと第１のデバイスとの間の送信チャネルの設定に成功した後に、サービスプッシュ情報が提示される指定時間内に、第１のデバイスによって、サービスプッシュ情報の関連情報を含むサービスデータを第２のデバイスに送信することが含まれる。
【００６２】
サービスプッシュ情報を得た後で、第１のデバイスが、現在再生されているビデオ画像にサービスプッシュ情報を加えることができ、その結果、ビデオ画像が再生されたときにサービスプッシュ情報を提示することができる。第１のデバイスは次に、サービスプッシュ情報の関連情報を用いてサービスデータを形成し、サービスデータを第１のデバイスの通信接続を通して送信してもよい。資源の浪費を減らすために、時間閾値をサービスデータの送信に対して構成してもよい。すなわち、指定時間たとえば３分間である。サービスプッシュ情報が提示された後にタイマが開始され、指定時間内にサービスプッシュ情報の関連情報が送信される。指定時間が過ぎた後に、サービスプッシュ情報の関連情報の送信が停止される。
【００６３】
第１のデバイスがサービスプッシュ情報を提示した後、第２のデバイスは、第１のデバイスと第２のデバイスとの間の送信チャネルを設定して、プッシュされたサービスデータを得てもよい。こうして、第１のデバイスは、指定時間内に第１のデバイスと第２のデバイスとの間の送信チャネルにサービスデータを送信するため、第２のデバイスはサービスデータを受信することができる。第２のデバイスが第１のデバイスと第２のデバイスとの間の送信チャネルの設定を終了した後、設定が終了した後の時間が指定時間を超えたら、第２のデバイスは送信チャネルからサービスデータを受信しない。
【００６４】
本出願の任意的な実施形態では、第１のデバイスがサービスプッシュ情報の関連情報を第２のデバイスに送信した後、本方法はさらに、第１のデバイスによって、サービスプッシュ情報の提示をキャンセルすることを含む。
【００６５】
第１のデバイスがサービスプッシュ情報の関連情報を第２のデバイスに送信した後、第２のデバイスはサービスプッシュ情報に対応するプッシングページを提示して、ユーザが後続のサービス操作を行なうことを容易にしてもよい。この場合、第１のデバイスは、サービスプッシュ情報のプッシングを終えているため、サービスプッシュ情報の提示をキャンセルしてもよく、すなわち、もはやサービスプッシュ情報を提示しなくてもよい。
【００６６】
明らかに、本出願の実施形態では、サービスプッシュ情報の提示に対する時間をさらに、予めセットアップしてもよい。提示のための時間が終了したら、サービスプッシュ情報の提示を、サービスプッシュ情報の関連情報が第２のデバイスに送信されたか否かとは関係なく、キャンセルしてもよい。
【００６７】
前述の実施形態によって、サービスプッシュ情報を第２のデバイスにプッシュして、第１のデバイスによって提示することが実現される。本出願の別の実施形態では、第２のデバイス内で提示された情報をまた、第１のデバイスに自動的に送信して提示してもよく、このようなプロセスの詳細をステップ３０８〜３１０に示す。
【００６８】
ステップ３０８：第１のデバイスが、第２のデバイスから送信されたサービスオブジェクトの関連情報を受信する。
【００６９】
ステップ３１０：第１のデバイスが、関連情報に対応するサービスオブジェクト情報をビジネスサーバから得て、現在再生されているビデオ画像にサービスオブジェクト情報を加えて提示する。
【００７０】
この実施形態では、移動端末が、第１のデバイス内でプッシュされたサービスプッシュ情報の関連するコンテンツを見てもよい。第２のデバイスはさらに、見るべきサービスオブジェクトの関連情報を第１のデバイスに送信して、第１のデバイスを通して関連情報を提示することを容易にしてもよい。
【００７１】
第２のデバイスと第１のデバイスとの間の送信チャネルが設定された後、第２のデバイスと第１のデバイスとが互いにデータを交換してもよい。第１のデバイスは、第２のデバイスが送信したサービスオブジェクトの関連情報を通信チャネルを通して受信し、関連情報をビジネスサーバに送り、関連情報に対応するサービスオブジェクト情報をビジネスサーバから得て、現在再生されているビデオ画像にサービスプッシュ情報を加えて提示する。
【００７２】
現在ビデオを再生しているとき、第１のデバイスがサービスオブジェクト情報をビデオのビデオ画像に加えて、ビデオの再生と同時に提示される。ビデオが現在再生されていない場合、第１のデバイスは、サービスオブジェクト情報を現在再生されているビデオ画像として提示してもよい。明らかに、場合によっては、ビデオが第１のデバイス内で現在再生されている場合があり、サービスオブジェクト情報を見る必要がある。この場合、ビデオの再生を停止してもよく、サービスオブジェクト情報を現在再生されているビデオ画像として提示する。
【００７３】
このようにして、第２のデバイスと第１のデバイスとの間の送信チャネルを設定することによって、第２のデバイスと第１のデバイスとの間の双方向データ通信を実施することができるため、第１のデバイスによってプッシュされたサービスプッシュ情報が見られて、対応するサービス操作が行なわれる。さらに、第２のデバイスのサービスオブジェクト情報を提示することもできるため、サービスオブジェクト情報を、第１のデバイスの大型のスクリーンを用いることによってより明瞭に提示することができる。
【００７４】
図４に示すのは、本出願の実施形態による第２のデバイス側での別のサービスデータプッシング方法のフローチャートであり、具体的には以下の手順を含んでいてもよい。
【００７５】
ステップ４０２：第２のデバイス上の動作を検出する。
【００７６】
ステップ４０４：第２のデバイスと第１のデバイスとの間の送信チャネルの設定を、第２のデバイス上の動作が指定動作であることが検出されることに応じてトリガする。
【００７７】
第２のデバイス上の動作を検出して、第１のデバイスとの通信接続を設定する。この動作は、指定アプリケーションが開始された後に行なってもよい。第１のデバイスがサービスプッシュ情報を提示した後、第２のデバイスは、サービスプッシュ情報を見ることが可能になり、第２のデバイス上での指定動作によってサービス操作を行なう。
【００７８】
たとえば、第２のデバイスはモバイルデバイスである。指定されたＡＰＰがモバイルデバイス内で開始された後に、ＡＰＰはモバイルデバイス上の動作を検出して、動作が指定動作（たとえば、モバイルデバイスを垂直方向または水平方向に振ること、またはモバイルデバイスのスクリーン上を手で水平方向に移動すること）であるか否かを判定する。この場合、対応するトリガ命令が生成され、次に送信チャネルが、トリガ命令によりモバイルデバイスと第１のデバイスとの間で設定される。
【００７９】
本出願の任意的な実施形態では、第２のデバイスと第１のデバイスとの間の送信チャネルの設定をトリガすることは、第２のデバイスがアクセスしたネットワーク内のアクセス装置を、第２のデバイスによって検出することと、アクセス装置が第１のデバイスを含むことを検出したら、第２のデバイスによって、第１のデバイスとの送信チャネルを設定することと、を含む。
【００８０】
本実施形態では、第２のデバイスは１つ以上のネットワークにアクセスしてもよい。たとえば、第２のデバイスが、ＷＩＦＩ接続を通して無線ネットワークに接続されるか、またはブルートゥースを通してネットワークに接続されるなどである。Ｗｉ−Ｆｉは、インテリジェント端末（たとえば、パーソナルコンピュータおよびモバイルデバイス）を無線で互いに接続することができる技術である。ブルートゥースは、デバイスの短距離通信（通常、１０ｍ以内）をサポートする無線技術である。
【００８１】
第２のデバイスは最初に、第２のデバイスがアクセスしたネットワーク内のアクセス装置を検出して、ネットワーク内の接続されたアクセス装置を決定する。アクセス装置に第１のデバイスが含まれることが検出されることに応じて、第２のデバイスは第１のデバイスとの送信チャネルを設定する。たとえば、第２のデバイスと第１のデバイスとの間の送信チャネルを、Ｗｉ−Ｆｉを通してローカルエリアネットワーク内で実施してもよい。代替的に、第２のデバイスと第１のデバイスとの間の送信チャネルを、ブルートゥースを通して設定してもよい。
【００８２】
ステップ４０６：第２のデバイスは、第１のデバイスがサービスプッシュ情報を提示する指定時間内に第１のデバイスが送信したサービスデータを受信する。
【００８３】
ステップ４０８：第２のデバイスがサービスデータを分析してサービスプッシュ情報の関連情報を得る。
【００８４】
第１のデバイスが、指定時間内に、第１のデバイスがアクセスしたネットワークを通してサービスデータを送信する。サービスデータには、サービスプッシュ情報の関連情報が含まれる。通信チャネルの設定に成功した後、対応する移動端末は、指定時間が過ぎていなければ、サービスデータを受信し、サービスデータを構文解析して、対応するサービスプッシュ情報の関連情報を得てもよい。
【００８５】
ステップ４１０：第２のデバイスが関連情報をビジネスサーバに送信する。
【００８６】
ステップ４１２：第２のデバイスが、ビジネスサーバによって返されたプッシングページアドレス情報を受信する。
【００８７】
ステップ４１４：第２のデバイスが、プッシングページアドレス情報を構文解析することによってプッシングページを提示する。
【００８８】
ステップ４１６：プッシングページにより返った指示情報を得て、指示情報により対応するサービス操作を行なう。
【００８９】
第２のデバイスが関連情報をビジネスサーバに送信する。関連情報を受信した後、ビジネスサーバは、サービスプッシュ情報に対応するプッシングページアドレス情報を検索し、そしてプッシングページアドレス情報を第２のデバイスに返す。
【００９０】
第２のデバイスは、プッシングページアドレス情報に対するリクエストを送ってプッシングページのページ情報をリクエストし、プッシングページを構文解析し、サービスプッシュ情報のプッシングページを提示する。ユーザがプッシングページ上の情報に関心がある場合には、ユーザは、関心がある情報に対する指示情報を送って、第２のデバイスが、指示情報により対応するサービス操作を行なうようにしてもよい。すなわち、プッシングページ上の指定サービスオブジェクトをリクエストする操作、たとえば、対応する商品を購入する、対応するソフトウェアをダウンロードするなどの操作である。
【００９１】
ステップ４１８：予め設定した時間内に第２のデバイスと第１のデバイスとの間でデータが送信されないときに、第２のデバイスが、第１のデバイスとの通信接続を閉じる。
【００９２】
本実施形態では、第２のデバイスと第１のデバイスとの間の通信チャネルは、資源の浪費を減らすために、常に接続状態に保持されているわけではない。具体的には、第２のデバイスが、予め設定した時間内に第１のデバイスとの通信チャネル上でデータが送信されていないか否かを検出し、予め設定した時間が過ぎていなければ通信チャネルを維持し続ける。予め設定した時間内にデータが送信されない場合、第２のデバイスは第１のデバイスとの通信接続を閉じる。
【００９３】
本出願の任意的な実施形態では、第２のデバイスは、サービスオブジェクトの関連情報を得て、サービスオブジェクトの関連情報を第１のデバイスに送信し、サービスオブジェクトの対応する情報を第１のデバイス上に提示する。
【００９４】
第２のデバイスが、第１のデバイスを通して提示する必要があるサービスオブジェクト情報を有していたら、第２のデバイスはまた、第１のデバイスと第２のデバイスとの間の送信チャネルを、検出された指定動作のトリガリングを通して設定してもよい。第２のデバイスは次に、サービスオブジェクトの関連情報を得て、関連情報を第１のデバイスに送信チャネルを通して送信することによって、サービスオブジェクトの対応する情報を、第１のデバイスの大型スクリーンを通して提示する。
【００９５】
第１のデバイスと第２のデバイスとの間のサービスプッシングに対する方法について前述した。本実施形態では、マルチデバイスプッシング方法について、一例としてショッピングシナリオを用いて説明する。
【００９６】
図５に示すのは、本出願の実施形態によるサービスデータに付随するやり取りをプッシュする概略図である。第１のデバイスはテレビであることが想定され、第２のデバイスはモバイルデバイスであることが想定されている。
【００９７】
本実施形態では、第１のデバイス上に提示されたサービスプッシュ情報を第２のデバイスに送信して提示して、対応するサービス操作を行なうプロセスについて、ステップ５．０２〜５．２０を通して説明する。その詳細には以下が含まれる。
【００９８】
５．０２：テレビがサービスプッシュ情報を得る。
【００９９】
５．０４：テレビが、現在再生されているビデオ画像にサービスプッシュ情報を加えて提示する。
【０１００】
５．０６：テレビが、指定時間内に、サービスプッシュ情報の関連情報を含むサービスデータをモバイルデバイスに送信する。
【０１０１】
５．０８：モバイルデバイス上の動作を検出する。
【０１０２】
５．１０：モバイルデバイスが、モバイルデバイス上の動作が指定動作であることが検出されることに応じて、設定すべきモバイルデバイスとテレビとの間の送信チャネルをトリガする。
【０１０３】
５．１２：モバイルデバイスが、サービスデータを構文解析して、構文解析されたサービスプッシュ情報の関連情報を得る。
【０１０４】
５．１４：モバイルデバイスが関連情報をビジネスサーバに送信する。
【０１０５】
５．１６：ビジネスサーバが、関連情報によりプッシングページアドレス情報を検索する。
【０１０６】
５．１８：ビジネスサーバがプッシングページアドレス情報を返す。
【０１０７】
５．２０：モバイルデバイスが、プッシングページアドレス情報を構文解析することによってプッシングページを提示して、対応するサービス操作を行なう。
【０１０８】
本実施形態では、テレビ上でプッシュされた情報をモバイルデバイスを通して見てもよい。たとえば、ショッピングシナリオでは、ビデオまたはＴＶ放送番組がテレビにおいて再生されたときに、テレビのバックエンドプロセッサが、情報（たとえば、プログラムのコンテンツおよび時間）によりサービスプッシュ情報としてプッシュすべき商品情報を生成して、そして、商品情報を現在再生されているビデオ画像に加えて提示してもよい。テレビは、指定時間内にその後にテレビがアクセスしたネットワーク内で商品情報をプッシュする。
【０１０９】
ユーザが、ＴＶを見ているときに、プッシュされた商品情報に関心がある場合、ユーザは、対応するショッピングＡＰＰをモバイルデバイス内で開始して、モバイルデバイス上で指定動作（たとえば、振ることなど）を行なってもよい。指定動作によってトリガされた後、モバイルデバイスは、モバイルデバイスとテレビとの間の送信チャネルを設定し、テレビが送信した商品情報の関連情報を受信する。関連情報を、推奨商品、たとえば商品ＩＤ、またはプッシュされたアクティビティのアクティビティページ識別名などを特定するために用いる。
【０１１０】
モバイルデバイスはその後、関連情報をショッピングウェブサイトのサーバに送信する。サーバは、関連情報により対応するプッシングページアドレス情報を検索して、プッシングページアドレス情報を第２のデバイスに返す。第２のデバイスは、プッシングページアドレス情報により商品ページのページ情報をリクエストし、ページ情報を構文解析することによって、ショッピングＡＰＰ内にページを提示する。商品の詳細な情報がユーザの操作により提示され、サービス操作たとえば商品を注文および購入することが行なわれる。
【０１１１】
したがって、サービスプッシュ情報を提示した後、テレビは、サービスプッシュ情報の関連情報をアクセスされたネットワークに送信する必要があるだけである。サービスプッシュ情報を引き続いて見ることおよび他のサービス操作はすべてモバイルデバイスによって行なわれるため、テレビはビデオを通常通りに再生し続けることができ、ユーザは、ビデオを見ながら、関心のあるサービスプッシュ情報に対してサービス操作を行なうことができる。
【０１１２】
たとえば、前述のショッピングシナリオにおいて、ユーザがテレビを用いてＴＶ番組を見るときに、情報（たとえば、ＴＶ番組のコンテンツおよび時間）による関連商品がバックグラウンドにおいてプッシュされた後で、テレビの端末が、商品情報を含むデータを短距離ネットワーク（たとえばＷＩＦＩまたはブルートゥース）を通して外部に一斉送信する。同じネットワーク環境下で、モバイルデバイスのユーザは、指定アプリケーションがインストールされているならば、指定動作を通してテレビに接続してもよい。たとえば、指定動作は振ることであってもよく、アプリケーションによってこの指定動作が検出される。この場合、テレビとの送信チャネルを即座に設定することが開始される。設定に成功した後、モバイルデバイスは、テレビによって一斉送信された商品の情報を得て、商品の詳細な情報を直接表示してもよい。前述のプロセスは高速で便利であり、標準状態下で１〜３秒以内に終わることができる。
【０１１３】
テレビ上のサービスプッシュ情報のプロンプト表示ページを次に、ある時間内に隠してもよい。代替的に、サービスプッシュ情報を次に、モバイルデバイスがサービスプッシュ情報の関連情報を受信した後に隠す。このプロセスでは、テレビがＴＶ番組を再生し続ける一方で、商品がモバイルデバイス内で提示されている。ショッピング操作のプロセスを継続して、その後に終了させることができる。
【０１１４】
実施形態では、テレビは、指定時間範囲内でプッシュされた情報を再生し、予め設定された時間内に提示された商品が、前述のプロセスにおけるモバイルデバイスの指定動作によってトリガされ、その結果、新しいショッピングアプローチ：見ながらショッピングが実現される。
【０１１５】
本出願の別の実施形態によれば、第１のデバイスから第２のデバイスにプッシュすることに加えて、第２のデバイス上に提示された情報を第１のデバイスにプッシュして提示してもよい。手順の詳細を５．２２〜５．３４として示す。
【０１１６】
５．２２：モバイルデバイスがサービスオブジェクトの関連情報を得る。
【０１１７】
５．２４：モバイルデバイスがサービスオブジェクトの関連情報をテレビへ送信する。
【０１１８】
５．２６：テレビが、関連情報によりビジネスサーバをリクエストする。
【０１１９】
５．２８：ビジネスサーバが、関連情報に対応するサービスオブジェクト情報を得る。
【０１２０】
５．３０：ビジネスサーバがサービスオブジェクト情報をテレビへ返す。
【０１２１】
５．３２：現在再生されているビデオ画像にサービスオブジェクト情報が付加されて提示される。
【０１２２】
実施形態では、マルチデバイスのやり取りを、テレビ上のサービスプッシングコンテンツにより行なってもよく、またマルチデバイスのやり取りをモバイルデバイスによってトリガしてもよい。すなわち、モバイルデバイスは、テレビ上に表示する必要があるサービスオブジェクト情報を有している。たとえば、ショッピングシナリオでは、ユーザが、購入すべき商品をテレビ上に表示して商品の詳細をもっと明瞭に見ることを望む。
【０１２３】
この場合、モバイルデバイスは、最初にテレビとの送信チャネルを設定し、サービスオブジェクトの関連情報（たとえば、商品ページのページアドレス）を得て、ページアドレスをテレビに送信してもよい。ページアドレスを受信した後に、テレビは、ページアドレスのページ情報をショッピングウェブサイトのサーバからリクエストし、ページ情報を構文解析して、対応する商品を、サーバから返ったページ情報を受信した後に提示する。
【０１２４】
モバイルデバイス上に提示されたサービスオブジェクト（たとえば、商品コンテンツ）は、テレビの大型スクリーンに、同期してプッシュされる。サービス操作（たとえば商品の注文）は、やはりモバイルデバイスによって終了する。したがって、商品は、テレビの大型スクリーンを通してより明瞭に提示される。
【０１２５】
５．３４：モバイルデバイスは、予め設定した時間内にモバイルデバイスとテレビとの間でデータが送信されないときに、テレビとの通信接続を閉じる。
【０１２６】
実施形態では、予め設定した時間内にモバイルデバイスとテレビとの間でデータが送信されないときに、モバイルデバイスはテレビとの通信接続を閉じる。
【０１２７】
したがって、本実施形態では、ビデオプログラムをテレビなどを用いて大型スクリーン上で見ながら、ショッピングを、プログラムに対する任意の中断を生じさせることなく行なうことができる。すなわち、ショッピング操作をモバイルデバイス上で便利に行なうことができる。そのスクリーンはサイズが制限されているため、商品の詳細な情報はしたがってテレビの大型スクリーン上に表示される。こうして、マルチデバイスやり取りのショッピングアプローチが実現する。
【０１２８】
なお、方法の実施形態は、説明を簡単にするために一連の動作の組み合わせとして表現している。しかし、当業者であれば分かるように、本出願の実施形態は、説明した順番の動作に限定されない。なぜならば、いくつかのステップは、本出願の実施形態により他の順番でまたは並行して行なってもよいからである。第２に、当業者であればまた分かるように、明細書で説明する実施形態はすべて好ましい実施形態であり、含まれる動作は本出願の実施形態にとって必須でなくてもよい。
【０１２９】
第４の実施形態
前述の実施形態に基づいて、本実施形態ではさらにサービスデータプッシング装置を開示し、この装置は第２のデバイス側に配置されている。
【０１３０】
図６に示すのは、本出願の実施形態によるサービスデータプッシング装置の構造的ブロック図であり、具体的には以下のモジュールを含んでいてもよい。
【０１３１】
形成モジュール６０２が、第１のデバイスがサービスプッシュ情報を提示したときに、指定動作のトリガリングにより第１のデバイスとの通信接続を設定するように構成されている。
【０１３２】
送信モジュール６０４が、第１のデバイスが送信したサービスプッシュ情報の関連情報を受信するように構成されている。
【０１３３】
提示モジュール６０６が、関連情報によりサービスプッシュ情報に対応するプッシングページを決定して、プッシングページを提示するように構成されている。
【０１３４】
簡単に言えば、サービスデータは、複数のデバイスを用いることによってプッシュされる。第１のデバイスを用いてサービスプッシュ情報を提示し、第２のデバイスによって指定動作のトリガリングにより第１のデバイスとの通信接続を設定し、その結果、第１のデバイスと第２のデバイスとの間の通信が実現する。第２のデバイスは、第１のデバイスが送信したサービスプッシュ情報の関連情報を受信し、関連情報によりサービスプッシュ情報に対応するプッシングページを決定し、プッシングページを提示して、対応するサービス操作を行なう。こうして、サービスプッシュ情報は第１のデバイスを通してプッシュされ、サービスプッシュ情報は第２のデバイスを用いることによって見られる。その結果、第１のデバイス内で現在再生されているビデオ情報は影響を受けない。
【０１３５】
図７に示すのは、本出願の実施形態による別のサービスデータプッシング装置の構造的ブロック図であり、具体的には以下のモジュールを含んでいてもよい。
【０１３６】
形成モジュール７０２が、第１のデバイスがサービスプッシュ情報を提示したときに、指定動作のトリガリングにより第１のデバイスとの通信接続を設定するように構成されている。
【０１３７】
送信モジュール７０４は、第１のデバイスが送信したサービスプッシュ情報の関連情報を受信するように構成されている。
【０１３８】
提示モジュール７０６が、関連情報によりサービスプッシュ情報に対応するプッシングページを決定し、プッシングページを提示するように構成されている。
【０１３９】
サービス実行モジュール７０８が、プッシングページにより返った指示情報を得て、指示情報により対応するサービス操作を行なうように構成されている。
【０１４０】
終了モジュール７１０が、予め設定した時間の後に装置自体と第１のデバイスとの間でデータが送信されないときに、第１のデバイスとの通信接続を閉じるように構成されている。
【０１４１】
本出願の任意的な実施形態では、形成モジュール７０２は、装置上の動作を検出するように構成された検出サブモジュール７０２０２と、装置上の動作が指定動作であることが検出されることに応じて第１のデバイスとの送信チャネルの設定をトリガするように構成された形成トリガリングサブモジュール７０２０４と、を含んでいる。
【０１４２】
本出願の任意的な実施形態では、第２のデバイスはモバイルデバイスであり、指定動作はモバイルデバイスを振ることである。
【０１４３】
形成トリガリングサブモジュール７０２０４は、装置がアクセスしたネットワーク内のアクセス装置を検出して、アクセス装置が第１のデバイスを含むことを検出したら第１のデバイスとの送信チャネルを設定するように構成されている。
【０１４４】
本出願の任意的な実施形態では、送信モジュール７０４は、第１のデバイスがサービスプッシュ情報を提示する指定時間内に、第１のデバイスが送信したサービスデータを受信するように構成された受信サブモジュール７０４０２と、サービスデータを構文解析して、構文解析されたサービスプッシュ情報の関連情報を得るように構成された構文解析サブモジュール７０４０４と、を含む。
【０１４５】
提示モジュール７０６は、関連情報をビジネスサーバに送信し、ビジネスサーバによって返されたプッシングページアドレス情報を受信し、プッシングページを提示し、プッシングページアドレス情報を構文解析することによって、対応するサービス操作を行なうように構成されている。
【０１４６】
本出願の任意的な実施形態では、サービス操作には、プッシングページ上の指定サービスオブジェクトをリクエストする操作が含まれている。
【０１４７】
送信モジュール７０４はさらに、サービスオブジェクトの関連情報を得て、サービスオブジェクトの関連情報を第１のデバイスに送信して、対応するサービスオブジェクト情報を第１のデバイス上に提示するように構成されている。
【０１４８】
第５の実施形態
前述の実施形態に基づいて、本実施形態ではさらにサービスデータプッシング装置を提供し、この装置は第１のデバイス側に配置されている。
【０１４９】
図８は、本出願の実施形態による別のサービスデータプッシング装置の構造的ブロック図であり、具体的には以下のモジュールを含んでいてもよい。
【０１５０】
取得モジュール８０２がサービスプッシュ情報を得るように構成されている。
【０１５１】
付加および提示モジュール８０４が、現在再生されているビデオ画像にサービスプッシュ情報を加えて提示するように構成されている。
【０１５２】
送信およびプッシングモジュール８０６は、指定動作のトリガリングにより、第２のデバイスが装置との通信接続の設定に成功した後に、サービスプッシュ情報の関連情報を第２のデバイスに送信して、第２のデバイスに、サービスプッシュ情報により対応するプッシングページを提示させるように構成されている。
【０１５３】
本実施形態では、多端末サービスデータプッシングが、第２のデバイスと第１のデバイスとを用いることによって実現される。第１のデバイスが、現在再生されているビデオ画像にサービスプッシュ情報を加えて提示した後、第２のデバイスが、指定動作のトリガリングにより第１のデバイスとの通信接続の設定を終了する。第１のデバイスは、サービスプッシュ情報の関連情報を第２のデバイスに通信接続を通して送信して、サービスプッシュ情報に対応するプッシングページを第２のデバイス上に提示し、ユーザのフィードバックにより対応するサービス操作を行なう。このように、第１のデバイス上でプッシュされたサービスプッシュ情報が、第２のデバイスを用いることによって見られるため、第１のデバイス上で現在再生されているビデオが影響を受けることが回避される。
【０１５４】
本出願の任意的な実施形態では、送信およびプッシングモジュール８０６は、指定動作により、第２のデバイスが第２のデバイスと装置との間の送信チャネルの設定に成功した後に、サービスプッシュ情報が提示される指定時間内に、サービスプッシュ情報の関連情報を含むサービスデータを第２のデバイスに送信するように構成されている。
【０１５５】
本出願の別の任意的な実施形態では、送信およびプッシングモジュールはさらに、第２のデバイスが送信したサービスオブジェクトの関連情報を受信するように構成されている。付加および提示モジュールはさらに、関連情報に対応するサービスオブジェクト情報をビジネスサーバから得て、現在再生されているビデオ画像にサービスオブジェクト情報を加えて提示するように構成されている。
【０１５６】
本出願の別の任意的な実施形態では、付加および提示モジュールはさらに、サービスプッシュ情報の関連情報が第２のデバイスに送信された後に、サービスプッシュ情報の提示をキャンセルするように構成されている。
【０１５７】
第６の実施形態
前述の実施形態に基づいて、本実施形態ではさらにサービスデータプッシングシステムを開示する。
【０１５８】
図９に示すのは、本出願の実施形態によるサービスデータプッシングシステムの構造的ブロック図であり、具体的には以下のモジュールを含んでいてもよい。
【０１５９】
サービスデータプッシングシステムは、第２のデバイス９０２と第１のデバイス９０４とを含んでいる。
【０１６０】
第２のデバイス９０２は、第４の実施形態で説明したサービスデータプッシング装置を含み、第１のデバイス９０４は、第５の実施形態で説明したサービスデータプッシング装置を含んでいる。その詳細は、本明細書では繰り返して説明しない。
【０１６１】
装置の実施形態は基本的に方法の実施形態と同様であり、したがって、その説明は比較的単純である。関係する部分は、方法の実施形態の説明の対応する部分を参照してもよい。
【０１６２】
本明細書における実施形態は、徐々に進行する仕方で説明している。各実施形態で強調する点は他の実施形態とは異なっている。実施形態の同一または同様の部分を互いに参照してもよい。
【０１６３】
当業者であれば分かるように、本出願の実施形態を、方法、装置、またはコンピュータプログラム製品として提供してもよい。したがって、本出願の実施形態を、完全なハードウェア実施形態、完全なソフトウェア実施形態、またはソフトウェアおよびハードウェアの組み合わせである実施形態として実施してもよい。また、本出願の実施形態は、コンピュータ利用可能なプログラムコード（コンピューティングデバイスによって利用可能である）を含む１つ以上の利用可能な記憶媒体（たとえば、限定することなく、磁気ディスク記憶デバイス、ＣＤ−ＲＯＭ、光メモリなど）上で実施されるコンピュータプログラム製品の形態であってもよい。
【０１６４】
典型的な構成では、コンピューティングデバイスは、１つ以上のプロセッサ（ＣＰＵ）、入出力インターフェース、ネットワークインターフェース、およびメモリを含んでいる。メモリには、コンピュータ可読媒体、たとえば揮発性メモリ、ランダムアクセスメモリ（ＲＡＭ）及び／または不揮発性メモリ、たとえば読み出し専用メモリ（ＲＯＭ）またはフラッシュＲＡＭの形態が含まれていても良い。メモリはコンピュータ可読媒体の例である。コンピュータ可読媒体には、揮発性または不揮発性タイプ、リムーバブルまたは非リムーバブル媒体（任意の方法または技術を用いて情報の記憶を実現してもよい）が含まれていても良い。情報には、コンピュータ可読命令、データ構造、プログラムモジュール、または他のデータが含まれていてもよい。コンピュータ記憶媒体の例としては、限定することなく、以下が挙げられる。相変化メモリ（ＰＲＡＭ）、スタティックランダムアクセスメモリ（ＳＲＡＭ）、ダイナミックランダムアクセスメモリ（ＤＲＡＭ）、他のタイプのランダムアクセスメモリ（ＲＡＭ）、読み出し専用メモリ（ＲＯＭ）、電気的に消去可能なプログラマブル読み出し専用メモリ（ＥＥＰＲＯＭ）、クィックフラッシュメモリまたは他の内部記憶技術、コンパクトディスク読み出し専用メモリ（ＣＤ−ＲＯＭ）、デジタル多用途ディスク（ＤＶＤ）または他の光記憶装置、磁気カセットテープ、磁気ディスク記憶または他の磁気記憶装置、または任意の他の非伝送媒体であって、コンピューティングデバイスがアクセスし得る情報を記憶するために用いてよいもの。本明細書で規定するように、コンピュータ可読媒体には一時的な媒体（たとえば変調データ信号および搬送波）は含まれない。
【０１６５】
本開示を、本開示の実施形態による方法、端末デバイス（システム）、およびコンピュータプログラム製品のフローチャート及び／またはブロック図を参照して説明している。当然のことながら、コンピュータプログラム命令を用いて、フローチャート及び／またはブロック図における各プロセス及び／またはブロックを、またフローチャート及び／またはブロック図におけるプロセス及び／またはブロック（複数可）の組み合わせを実施してもよい。これらのコンピュータプログラム命令を、汎用コンピュータ、専用コンピュータ、組み込みプロセッサ、または別のプログラマブルデータ処理端末デバイスのプロセッサに与えて機械を生成することで、命令がコンピュータまたは別のプログラマブルデータ処理端末デバイスのプロセッサによって実行されることによって、フローチャート内の１つ以上のプロセス及び／またはブロック図内の１つ以上のブロックにおいて指定される機能（複数可）を実施するための装置が生成されるようにしてもよい。
【０１６６】
またこれらのコンピュータプログラム命令を、コンピュータ可読な記憶デバイス内に記憶させて、コンピュータまたは別のプログラマブルデータ処理端末デバイスに命令を出して特定の仕方で動作させて、コンピュータ可読な記憶デバイス内に記憶させた命令によって、命令装置を含む製造品が生成されるようにしてもよい。命令装置は、フローチャート内の１つ以上のプロセスにおいて及び／またはブロック図内の１つ以上のブロックにおいて指定される機能（複数可）を実施する。
【０１６７】
またこれらのコンピュータプログラム命令をコンピュータまたは別のプログラマブルデータ処理端末デバイス上にロードして、一連の操作をコンピュータまたは他のプログラマブル端末デバイス上で行なうことによって、コンピュータ実施のプロセシングが生成されるようにしてもよい。したがって、コンピュータまたは他のプログラマブル端末デバイス上で実行される命令によって、フローチャートにおける及び／またはブロック図内の１つ以上のブロックにおける１つ以上のプロセスにおいて指定される機能（複数可）を実施するための手順が与えられる。
【０１６８】
本出願の実施形態好ましい実施形態について説明してきたが、当業者であれば、基本的な本発明の考え方を知った後にこれらの実施形態に対して他の変形および変更を行なう場合がある。したがって、添付の請求項は、好ましい実施形態と本出願の実施形態の範囲に分類されるすべての変形および変更とを含むと解釈することが意図されている。
【０１６９】
最後に、関係語たとえば「第１の」および「第２の」は、１つの実体または操作を別の実体または操作から区別するためのみに用いられており、必ずしも、実際におけるこれらの実体または操作間のこれらの関係または順番のいずれかを必要とするものでも意味するものでもないことにさらに注意されたい。また、用語たとえば「ｉｎｃｌｕｄｅ」、「ｃｏｍｐｒｉｓｅ」、またはそれらの他の変形は、包括的に含めることに及ぶことが意図されているため、一連の要素を含むプロセス、方法、物品、または端末デバイスには、それらの要素が含まれているだけでなく、明示的に列記されていない他の要素も含まれているか、またはさらに、プロセス、方法、物品、または端末デバイスの固有の要素も含まれている。さらに制約することなく、要素が語句「ｉｎｃｌｕｄｅ  ａ／ａｎ…」によって規定される場合、この要素を含むプロセス、方法、物品、または端末デバイスに他の同じ要素が存在することを除外しない。
【０１７０】
以上、本出願で提供されるサービスデータプッシング方法、サービスデータプッシング装置、およびサービスデータプッシングシステムについて、詳細に説明している。本明細書では具体例を用いて本出願の原理および実施態様を例示しており、前述の実施形態の説明は単に、本出願の方法およびその核となる考え方の理解を助けるために用いている。さらに、当業者であれば、本出願の考え方に基づいて、応用の特定の実施態様および範囲を変えてもよい。簡単に言えば、本明細書の内容を本出願に対する限定と解釈してはならない。
【図１】
2018512105.tif 000003
【図２】
2018512105.tif 000004
【図３】
2018512105.tif 000005
【図４】
2018512105.tif 000006
【図５】
2018512105.tif 000007
【図６】
2018512105.tif 000008
【図７】
2018512105.tif 000009
【図８】
2018512105.tif 000010
【図９】
2018512105.tif 000011
【国際調査報告】
2018512105.tif 000012
2018512105.tif 000013
2018512105.tif 000014
2018512105.tif 000015